(57)【要約】【課題】炉体に設けられたリジェネバーナにおいて、安定した燃焼を維持すること。【解決手段】リジェネバーナ１１，１２を配置し、各バーナ１１ａ，１１ｂ，１２ａ，１２ｂに燃焼用のガスを供給するためのガス管２１と、各バーナに燃焼用のエアーを供給するためのエアー管２２と、各バーナから排気用のガスを外気に排出するための排ガス管２３とを備える金属または非鉄金属の加熱炉や熱処理炉等の炉１０において、リジェネバーナ１１，１２の燃焼を制御する方法で、各バーナ毎にガスバルブＧ１，Ｇ２，Ｇ３，Ｇ４を介してガス管２１を接続するとともに、各バーナ毎にエアーバルブＡ１，Ａ２，Ａ３，Ａ４を介してエアー管２２を接続し、各バーナ毎に排ガスバルブＨ１，Ｈ２，Ｈ３，Ｈ４を介して排ガス管２３を接続し、燃焼用のガス，燃焼用のエアー、及び、排気用のガスの流量を各バーナ毎に個別制御する。【選択図】図１
2009276026.tif 000002
【特許請求の範囲】
【請求項１】
一対のペアとなる２本のバーナを交互に燃焼させ、一方のバーナの燃焼によって得た廃熱を他方のバーナの蓄熱器で蓄え、その廃熱を、前記他方のバーナを燃焼させる際に使用するリジェネバーナを配置し、各バーナに燃焼用のガスを供給するためのガス管と、各バーナに燃焼用のエアーを供給するためのエアー管と、各バーナから排気用のガスを外気に排出するための排ガス管とを備える金属または非鉄金属の加熱炉や熱処理炉等の炉において、前記リジェネバーナの燃焼を制御する方法であって、
前記各バーナ毎にガスバルブを介して前記ガス管を接続するとともに、前記各バーナ毎にエアーバルブを介して前記エアー管を接続し、さらに、前記各バーナ毎に排ガスバルブを介して前記排ガス管を接続し、燃焼用のガス，燃焼用のエアー、及び、排気用のガスの流量を各バーナ毎に個別制御するようにしたことを特徴とするリジェネバーナ制御方法。
【請求項２】
前記個別制御は、前記２本のバーナのうち燃焼中の一方のバーナを消火した時の、その一方のバーナに設けられた前記ガスバルブの開度とエアーバルブの開度及び、非燃焼中の他方のバーナに設けられた前記排ガスバルブの開度を記憶し、
次に、前記他方のバーナを燃焼する時に、その他方のバーナに設けられた前記ガスバルブの開度とエアーバルブの開度を、前記記憶した一方のバーナに設けられた前記ガスバルブの開度とエアーバルブの開度に設定するとともに、前記一方のバーナに設けられた前記排ガスバルブの開度を、前記記憶した他方のバーナに設けられた前記排ガスバルブの開度に設定することを特徴とする請求項１に記載のリジェネバーナ制御方法。
【請求項３】
前記個別制御は、前記２本のバーナのうち燃焼中の一方のバーナの空燃比が設定値になった時の、その一方のバーナに設けられた前記ガスバルブの開度とエアーバルブの開度及び、非燃焼中の他方のバーナに設けられた前記排ガスバルブの開度を記憶し、
次に、前記他方のバーナを燃焼する時に、その他方のバーナに設けられた前記ガスバルブの開度とエアーバルブの開度を、前記記憶した一方のバーナに設けられた前記ガスバルブの開度とエアーバルブの開度に設定するとともに、前記一方のバーナに設けられた前記排ガスバルブの開度を、前記記憶した他方のバーナに設けられた前記排ガスバルブの開度に設定することを特徴とする請求項１に記載のリジェネバーナ制御方法。
【請求項４】
一対のペアとなる２本のバーナを交互に燃焼させ、一方のバーナの燃焼によって得た廃熱を他方のバーナの蓄熱器で蓄え、その廃熱を、前記他方のバーナを燃焼させる際に使用するリジェネバーナを配置し、各バーナに燃焼用のガスを供給するためのガス管と、各バーナに燃焼用のエアーを供給するためのエアー管と、各バーナから排気用のガスを外気に排出するための排ガス管とを備える金属または非鉄金属の加熱炉や熱処理炉等の炉において、前記リジェネバーナの燃焼を制御する方法であって、
前記各バーナ毎にガスバルブを介して前記ガス管を接続するとともに、前記各バーナ毎に排ガスバルブを介して前記排ガス管を接続し、燃焼用のガスと排気用のガスの流量を各バーナ毎に個別制御するようにしたことを特徴とするリジェネバーナ制御方法。
【請求項５】
一対のペアとなる２本のバーナを交互に燃焼させ、一方のバーナの燃焼によって得た廃熱を他方のバーナの蓄熱器で蓄え、その廃熱を、前記他方のバーナを燃焼させる際に使用するリジェネバーナを配置し、各バーナに燃焼用のガスを供給するためのガス管と、各バーナに燃焼用のエアーを供給するためのエアー管と、各バーナから排気用のガスを外気に排出するための排ガス管とを備える金属または非鉄金属の加熱炉や熱処理炉等の炉において、前記リジェネバーナの燃焼を制御する方法であって、
前記各バーナ毎にエアーバルブを介して前記エアー管を接続し、燃焼用のエアーの流量を各バーナ毎に個別制御するようにしたことを特徴とするリジェネバーナ制御方法。
【請求項６】
一対のペアとなる２本のバーナを交互に燃焼させ、一方のバーナの燃焼によって得た廃熱を他方のバーナの蓄熱器で蓄え、その廃熱を、前記他方のバーナを燃焼させる際に使用するリジェネバーナを配置し、各バーナに燃焼用のガスを供給するためのガス管と、各バーナに燃焼用のエアーを供給するためのエアー管と、各バーナから排気用のガスを外気に排出するための排ガス管とを備える金属または非鉄金属の加熱炉や熱処理炉等の炉において、前記リジェネバーナの燃焼を制御するシステムであって、
前記各バーナ毎にガスバルブを介して前記ガス管を接続するとともに、前記各バーナ毎にエアーバルブを介して前記エアー管を接続し、さらに、前記各バーナ毎に排ガスバルブを介して前記排ガス管を接続してなることを特徴とするリジェネバーナ制御システム。
【発明の詳細な説明】
【技術分野】
【０００１】
本発明は、金属または非鉄金属の加熱炉や熱処理炉等の工業炉の炉体に設けられたリジェネバーナを制御する方法及びそのリジェネバーナを制御するシステムに関するものである。
【背景技術】
【０００２】
従来、金属または非鉄金属の加熱炉や熱処理炉等の一般工業炉１０において、図３に示すように、一対のバーナ１１ａ，１１ｂからなるリジェネバーナ１１と別の一対のバーナ１２ａ，１２ｂからなるリジェネバーナ１２の二組が設けられたものが知られている。
【０００３】
このリジェネバーナ１１は、ペアとなる２本のバーナ１１ａ、１１ｂを交互に燃焼させ、一方のバーナ１１ａの燃焼で発生した高温の排熱を他方のバーナ１１ｂ側に送って熱を蓄え、その蓄えた排熱を、他方のバーナ１１ｂを燃焼させる際に使用する。同様に、リジェネバーナ１２も、ペアとなる２本のバーナ１２ａ、１２ｂを交互に燃焼させ、一方のバーナ１２ａの燃焼で発生した高温の排熱を他方のバーナ１２ｂ側に送って熱を蓄え、その蓄えた排熱を、他方のバーナ１２ｂを燃焼させる際に使用する。
ここでは、図３に示すように、一組のリジェネバーナ１１のバーナ１１ａと別の一組のリジェネバーナ１２のバーナ１２ｂを同時に燃焼させ（符号Ｆは炎を示す）、次に、一組のリジェネバーナ１１のバーナ１１ｂと別の一組のリジェネバーナ１２のバーナ１２ａを同時に燃焼させるようにしている。
このように構成されるリジェネバーナ１１，１２は燃焼効率が高いといった特徴を有する。
【発明の開示】
【発明が解決しようとする課題】
【０００４】
しかしながら、図３に示したものは、計４本のバーナ１１ａ，１１ｂ，１２ａ，１２ｂで二組のリジェネバーナ１１，１２で構成されているが、燃焼用のガス，エアー，及び排ガスは大元のガスバルブ１３，エアーバルブ１４，排ガスバルブ１５を介して一括して流量が制御されているので、個々のバーナ１１ａ，１１ｂ，１２ａ，１２ｂ毎にきめ細かい流量制御を行うことはできない。
また、ガスバルブ１３，エアーバルブ１４，排ガスバルブ１５は大元に一つ設けられているにすぎないので、例えば、一つのバーナ１１ａの付近の配管やその蓄熱体に目詰まりなどが発生した場合、最適な流量制御を行うことはできない。
なお、図３において、符号２１，２２，２３は、それぞれガス管（ガスパイプ），エアー管（エアーパイプ），排ガス管（排熱パイプ）を示している。
【０００５】
そこで、本発明の目的とするところは、炉体に設けられたリジェネバーナにおいて、安定した燃焼を維持することのできる制御方法及び制御システムを提供することにある。
【課題を解決するための手段】
【０００６】
上記の目的を達成するために、請求項１に記載の発明は、一対のペアとなる２本のバーナ（１１ａと１１ｂ，１２ａと１２ｂ）を交互に燃焼させ、一方のバーナ（１１ａ，１２ｂ）の燃焼によって得た廃熱を他方のバーナ（１１ｂ，１２ａ）の蓄熱器で蓄え、その廃熱を、前記他方のバーナ（１１ｂ，１２ａ）を燃焼させる際に使用するリジェネバーナ（１１，１２）を配置し、各バーナ（１１ａ，１１ｂ，１２ａ，１２ｂ）に燃焼用のガスを供給するためのガス管（２１）と、各バーナ（１１ａ，１１ｂ，１２ａ，１２ｂ）に燃焼用のエアーを供給するためのエアー管（２２）と、各バーナ（１１ａ，１１ｂ，１２ａ，１２ｂ）から排気用のガスを外気に排出するための排ガス管（２３）とを備える金属または非鉄金属の加熱炉や熱処理炉等の炉（１０）において、前記リジェネバーナ（１１，１２）の燃焼を制御する方法であって、
前記各バーナ（１１ａ，１１ｂ，１２ａ，１２ｂ）毎にガスバルブ（Ｇ１，Ｇ２，Ｇ３，Ｇ４）を介して前記ガス管（２１）を接続するとともに、前記各バーナ（１１ａ，１１ｂ，１２ａ，１２ｂ）毎にエアーバルブ（Ａ１，Ａ２，Ａ３，Ａ４）を介して前記エアー管（２２）を接続し、さらに、前記各バーナ（１１ａ，１１ｂ，１２ａ，１２ｂ）毎に排ガスバルブ（Ｈ１，Ｈ２，Ｈ３，Ｈ４）を介して前記排ガス管（２３）を接続し、燃焼用のガス，燃焼用のエアー、及び、排気用のガスの流量を各バーナ（１１ａ，１１ｂ，１２ａ，１２ｂ）毎に個別制御するようにしたことを特徴とする。
【０００７】
また、請求項２に記載の発明は、前記個別制御は、前記２本のバーナ（１１ａと１１ｂ，１２ａと１２ｂ）のうち燃焼中の一方のバーナ（１１ａ，１２ｂ）を消火した時の、その一方のバーナ（１１ａ，１２ｂ）に設けられた前記ガスバルブ（Ｇ１，Ｇ４）の開度とエアーバルブ（Ａ１，Ａ４）の開度及び、非燃焼中の他方のバーナ（１１ｂ，１２ａ）に設けられた前記排ガスバルブ（Ｈ２，Ｈ３）の開度を記憶し、
次に、前記他方のバーナ（１１ｂ，１２ａ）を燃焼する時に、その他方のバーナ（１１ｂ，１２ａ）に設けられた前記ガスバルブ（Ｇ２，Ｇ３）の開度とエアーバルブ（Ａ２，Ａ３）の開度を、前記記憶した一方のバーナ（１１ａ，１２ｂ）に設けられた前記ガスバルブ（Ｇ１，Ｇ４）の開度とエアーバルブ（Ａ１，Ａ４）の開度に設定するとともに、前記一方のバーナ（１１ａ，１２ｂ）に設けられた前記排ガスバルブ（Ｈ１，Ｈ４）の開度を、前記記憶した他方のバーナ（１１ｂ，１２ａ）に設けられた前記排ガスバルブ（Ｈ２，Ｈ３）の開度に設定することを特徴とする。
【０００８】
さらに、請求項３に記載の発明は、前記個別制御は、前記２本のバーナ（１１ａと１１ｂ，１２ａと１２ｂ）のうち燃焼中の一方のバーナ（１１ａ，１２ｂ）の空燃比が設定値になった時の、その一方のバーナ（１１ａ，１２ｂ）に設けられた前記ガスバルブ（Ｇ１，Ｇ４）の開度とエアーバルブ（Ａ１，Ａ４）の開度及び、非燃焼中の他方のバーナ（１１ｂ，１２ａ）に設けられた前記排ガスバルブ（Ｈ２，Ｈ３）の開度を記憶し、
次に、前記他方のバーナ（１１ｂ，１２ａ）を燃焼する時に、その他方のバーナ（１１ｂ，１２ａ）に設けられた前記ガスバルブ（Ｇ２，Ｇ３）の開度とエアーバルブ（Ａ２，Ａ３）の開度を、前記記憶した一方のバーナ（１１ａ，１２ｂ）に設けられた前記ガスバルブ（Ｇ１，Ｇ４）の開度とエアーバルブ（Ａ１，Ａ４）の開度に設定するとともに、前記一方のバーナ（１１ａ，１２ｂ）に設けられた前記排ガスバルブ（Ｈ１，Ｈ４）の開度を、前記記憶した他方のバーナ（１１ｂ，１２ａ）に設けられた前記排ガスバルブ（Ｈ２，Ｈ３）の開度に設定することを特徴とする。
【０００９】
また、請求項４に記載の発明は、一対のペアとなる２本のバーナ（１１ａと１１ｂ，１２ａと１２ｂ）を交互に燃焼させ、一方のバーナ（１１ａ，１２ｂ）の燃焼によって得た廃熱を他方のバーナ（１１ｂ，１２ａ）の蓄熱器で蓄え、その廃熱を、前記他方のバーナ（１１ｂ，１２ａ）を燃焼させる際に使用するリジェネバーナ（１１，１２）を配置し、各バーナ（１１ａ，１１ｂ，１２ａ，１２ｂ）に燃焼用のガスを供給するためのガス管（２１）と、各バーナ（１１ａ，１１ｂ，１２ａ，１２ｂ）に燃焼用のエアーを供給するためのエアー管（２２）と、各バーナ（１１ａ，１１ｂ，１２ａ，１２ｂ）から排気用のガスを外気に排出するための排ガス管（２３）とを備える金属または非鉄金属の加熱炉や熱処理炉等の炉（１０）において、前記リジェネバーナ（１１，１２）の燃焼を制御する方法であって、
前記各バーナ（１１ａ，１１ｂ，１２ａ，１２ｂ）毎にガスバルブ（Ｇ１，Ｇ２，Ｇ３，Ｇ４）を介して前記ガス管（２１）を接続するとともに、前記各バーナ（１１ａ，１１ｂ，１２ａ，１２ｂ）毎に排ガスバルブ（Ｈ１，Ｈ２，Ｈ３，Ｈ４）を介して前記排ガス管（２３）を接続し、燃焼用のガスと排気用のガスの流量を各バーナ（１１ａ，１１ｂ，１２ａ，１２ｂ）毎に個別制御するようにしたことを特徴とする。
【００１０】
また、請求項５に記載の発明は、一対のペアとなる２本のバーナ（１１ａと１１ｂ，１２ａと１２ｂ）を交互に燃焼させ、一方のバーナ（１１ａ，１２ｂ）の燃焼によって得た廃熱を他方のバーナ（１１ｂ，１２ａ）の蓄熱器で蓄え、その廃熱を、前記他方のバーナ（１１ｂ，１２ａ）を燃焼させる際に使用するリジェネバーナ（１１，１２）を配置し、各バーナ（１１ａ，１１ｂ，１２ａ，１２ｂ）に燃焼用のガスを供給するためのガス管（２１）と、各バーナ（１１ａ，１１ｂ，１２ａ，１２ｂ）に燃焼用のエアーを供給するためのエアー管（２２）と、各バーナ（１１ａ，１１ｂ，１２ａ，１２ｂ）から排気用のガスを外気に排出するための排ガス管（２３）とを備える金属または非鉄金属の加熱炉や熱処理炉等の炉（１０）において、前記リジェネバーナ（１１，１２）の燃焼を制御する方法であって、
前記各バーナ（１１ａ，１１ｂ，１２ａ，１２ｂ）毎にエアーバルブ（Ａ１，Ａ２，Ａ３，Ａ４）を介して前記エアー管（２２）を接続し、燃焼用のエアーの流量を各バーナ（１１ａ，１１ｂ，１２ａ，１２ｂ）毎に個別制御するようにしたことを特徴とする。
【００１１】
また、請求項６に記載の発明は、一対のペアとなる２本のバーナ（１１ａと１１ｂ，１２ａと１２ｂ）を交互に燃焼させ、一方のバーナ（１１ａ，１２ｂ）の燃焼によって得た廃熱を他方のバーナ（１１ｂ，１２ａ）の蓄熱器で蓄え、その廃熱を、前記他方のバーナ（１１ｂ，１２ａ）を燃焼させる際に使用するリジェネバーナ（１１，１２）を配置し、各バーナ（１１ａ，１１ｂ，１２ａ，１２ｂ）に燃焼用のガスを供給するためのガス管（２１）と、各バーナ（１１ａ，１１ｂ，１２ａ，１２ｂ）に燃焼用のエアーを供給するためのエアー管（２２）と、各バーナ（１１ａ，１１ｂ，１２ａ，１２ｂ）から排気用のガスを外気に排出するための排ガス管（２３）とを備える金属または非鉄金属の加熱炉や熱処理炉等の炉（１０）において、前記リジェネバーナ（１１，１２）の燃焼を制御するシステムであって、
前記各バーナ（１１ａ，１１ｂ，１２ａ，１２ｂ）毎にガスバルブ（Ｇ１，Ｇ２，Ｇ３，Ｇ４）を介して前記ガス管（２１）を接続するとともに、前記各バーナ（１１ａ，１１ｂ，１２ａ，１２ｂ）毎にエアーバルブ（Ａ１，Ａ２，Ａ３，Ａ４）を介して前記エアー管（２２）を接続し、さらに、前記各バーナ（１１ａ，１１ｂ，１２ａ，１２ｂ）毎に排ガスバルブ（Ｈ１，Ｈ２，Ｈ３，Ｈ４）を介して前記排ガス管（２３）を接続してなることを特徴とする。
【００１２】
なお、括弧内の記号は、図面および後述する発明を実施するための最良の形態に記載された対応要素または対応事項を示す。
【発明の効果】
【００１３】
請求項１に記載の発明によれば、リジェネバーナを構成する各バーナ毎にガスバルブを介してガス管を接続するとともに、各バーナ毎にエアーバルブを介してエアー管を接続し、さらに、各バーナ毎に排ガスバルブを介して排ガス管を接続し、燃焼用のガス，燃焼用のエアー、及び、排気用のガスの流量を各バーナ毎に個別制御するようにしたので、燃焼用のガス及びエアーの流量、そして排気される排ガスの流量について個別にきめ細かく制御することができる。また、一つのバーナの付近の配管やその蓄熱体に目詰まりなどが発生し流量の低下が生じた場合であっても、最適な流量制御を行うことができる。
よって、安定した燃焼を維持することができる。
【００１４】
また、請求項２に記載の発明によれば、請求項１に記載の発明の作用効果に加えて、燃焼中の一方のバーナを消火した時の、その一方のバーナに設けられたガスバルブの開度とエアーバルブの開度及び、非燃焼中の他方のバーナに設けられた排ガスバルブの開度を記憶し、他方のバーナを燃焼する時に、その他方のバーナに設けられたガスバルブの開度とエアーバルブの開度を、記憶した一方のバーナに設けられたガスバルブの開度とエアーバルブの開度に設定するとともに、一方のバーナに設けられた排ガスバルブの開度を、記憶した他方のバーナに設けられた排ガスバルブの開度に設定するので、燃焼中の一方のバーナを消火する時の安定状態にあるガスバルブ及びエアーバルブの開度を、次に燃焼させる他方のバーナの着火時から他方のバーナ側のガスバルブ及びエアーバルブの開度とすることができ、さらに、排ガスバルブの開度についても一方のバーナが安定状態にときの他方のバーナ側の開度を、他方のバーナの着火時に一方のバーナ側の排ガスバルブの開度に最初から設定することができる。
よって、バーナを２回目以降に再着火する場合の過渡期変動に対応し安定した燃焼結果が得られる。
【００１５】
さらに、請求項３に記載の発明によれば、請求項１に記載の発明の作用効果に加えて、２本のバーナのうち燃焼中の一方のバーナの空燃比が設定値になった時を基準として、その一方のバーナに設けられた前記ガスバルブの開度とエアーバルブの開度及び、非燃焼中の他方のバーナに設けられた前記排ガスバルブの開度を記憶し、他方のバーナを燃焼する時に、その他方のバーナに設けられたガスバルブの開度とエアーバルブの開度を、記憶した一方のバーナに設けられたガスバルブの開度とエアーバルブの開度に設定するとともに、一方のバーナに設けられた排ガスバルブの開度を、記憶した他方のバーナに設けられた排ガスバルブの開度に設定するようにしたので、バーナの空燃比を最適状態にするようにガス、エアー、排ガスの各流量を個別に制御することができる。
【００１６】
また、請求項４に記載の発明のように、ガス系の燃焼用のガスと排気用のガスの２つの要素についてだけ個別制御することもできる。また、請求項５に記載の発明のように、燃焼用のエアーの１つの要素についてだけ個別制御することもできる。
【００１７】
また、請求項６に記載の発明によれば、リジェネバーナの燃焼を制御するシステムにおいて、リジェネバーナを構成する各バーナ毎にガスバルブを介してガス管を接続するとともに、各バーナ毎にエアーバルブを介してエアー管を接続し、さらに、各バーナ毎に排ガスバルブを介して排ガス管を接続してなるので、燃焼用のガス，燃焼用のエアー、及び、排気用のガスの流量を各バーナ毎に個別制御することができる。
よって、きめ細かく安定した燃焼を維持することができる。
【発明を実施するための最良の形態】
【００１８】
図１及び図２を参照して、本発明の実施形態に係るリジェネバーナ制御方法及び制御システムについて説明する。図１は、本発明の実施形態に係るリジェネバーナ制御方法を実施するリジェネバーナ制御システムを示す概略構成図であり、図２は、本発明の実施形態に係るリジェネバーナ制御方法による処理内容を示すフローチャートである。従来例で示したものと同一部分には同一符号を付した。
【００１９】
このリジェネバーナ制御方法及びリジェネバーナ制御システムは、金属または非鉄金属の加熱炉や熱処理炉等の一般工業炉の炉体１０に対して、図１に示すように配置された二組のリジェネバーナ１１，１２の燃焼を各バーナ（第一バーナ）１１ａ，（第二バーナ）１１ｂ，（第三バーナ）１２ａ，（第四バーナ）１２ｂ毎に個別に制御するものである。
ここで、リジェネバーナ１１は、一対のペアとなる２本のバーナ１１ａ，１１ｂを交互に燃焼させ、一方のバーナ１１ａの燃焼によって得た廃熱を他方のバーナ１１ｂの蓄熱器で蓄え、その廃熱を他方のバーナ１１ｂを燃焼させる際に使用するものであり、同様に、リジェネバーナ１２は、一対のペアとなる２本のバーナ１２ａ，１２ｂを交互に燃焼させ、一方のバーナ１２ｂの燃焼によって得た廃熱を他方のバーナ１２ａの蓄熱器で蓄え、その廃熱を他方のバーナ１２ａを燃焼させる際に使用するものである。本実施形態では、リジェナバーナ１１を構成するバーナ１１ａと、もう一つのリジェネバーナ１２を構成するバーナ１２ｂとを同時に燃焼させ（符号Ｆは炎を示す）、バーナ１１ａとバーナ１２ｂの消火と同時に、リジェナバーナ１１を構成するバーナ１１ｂと、もう一つのリジェネバーナ１２を構成するバーナ１２ａとを同時に燃焼させるようにしている。
【００２０】
各バーナ１１ａ，１１ｂ，１２ａ，１２ｂには、燃焼用のガスを供給するためのガス管（ガスパイプ）２１と、燃焼用のエアーを供給するためのエアー管（エアーパイプ）２２と、及び、高温の排熱を排気用のガスとして外気に排出するための排ガス管（排熱パイプ）２３を連結している。また、ガス管２１，エアー管２２，排ガス管２３の大元には、それぞれガスバルブ１３，エアーバルブ１４，排ガスバルブ１５が設けられ、一括して流量が制御されている。
【００２１】
そして、各バーナ１１ａ，１１ｂ，１２ａ，１２ｂ毎にガスバルブＧ１，Ｇ２，Ｇ３，Ｇ４がそれぞれ設けられ、ガスバルブＧ１，Ｇ２，Ｇ３，Ｇ４を介してガス管２１を接続している。また、各バーナ１１ａ，１１ｂ，１２ａ，１２ｂ毎にエアーバルブＡ１，Ａ２，Ａ３，Ａ４がそれぞれ設けられ、エアーバルブＡ１，Ａ２，Ａ３，Ａ４を介してエアー管２２を接続している。さらに、各バーナ１１ａ，１１ｂ，１２ａ，１２ｂ毎に排ガスバルブＨ１，Ｈ２，Ｈ３，Ｈ４がそれぞれ設けられ、排ガスバルブＨ１，Ｈ２，Ｈ３，Ｈ４を介して排ガス管２３を接続している。
これによって、燃焼用のガス，燃焼用のエアー、及び、排気用のガスの流量を大元だけでなく、各バーナ１１ａ，１１ｂ，１２ａ，１２ｂ毎に個別制御することが可能なようにしている。
【００２２】
これら燃焼用のガス，燃焼用のエアー、及び、排気用のガスの流量の制御に加え、装置全体の制御は、制御ユニット１００に設けられたＣＰＵ５０で制御が実行される。
制御ユニット１００には、装置全体のプログラムなどが書き込まれたＲＯＭ５１，読み書き可能でデータの記憶を行うＲＡＭ５２，タッチパネル等の入力スイッチとデスプレイやプリンタ等からなる操作表示部５３が設けられ、ＣＰＵ５０に接続されている。
本実施形態では、ＲＡＭ５２に、ガスバルブＧ１，Ｇ２，Ｇ３，Ｇ４の開度と、エアーバルブＡ１，Ａ２，Ａ３，Ａ４の開度と、排ガスバルブＨ１，Ｈ２，Ｈ３，Ｈ４の開度が記憶されてようになっている。
なお、ＣＰＵ５０には、各バーナ１１ａ，１１ｂ，１２ａ，１２ｂからオンオフ制御用の信号が入力され、リジェネバーナ１１の一対のペアとなる２本のバーナ１１ａ，１１ｂを交互に燃焼させるとともに、リジェネバーナ１２の一対のペアとなる２本のバーナ１２ａ，１２ｂについても交互に燃焼させるようになっている。
【００２３】
次に、リジェネバーナ１１，１２に対する流量制御処理について、図２を参照して説明する。
この処理では、ＣＰＵ５０は、リジェネバーナ１１，１２を構成する各バーナ１１ａ，１１ｂ，１２ａ，１２ｂに供給される燃焼用のガス及びエアーの流量を個別にきめ細かく制御するとともに、各バーナ１１ａ，１１ｂ，１２ａ，１２ｂから排気される排ガスの流量のついても個別にきめ細かく制御する（ステップ３０１）。
【００２４】
次に、ＣＰＵ５０は、第一バーナ１１ａと第四バーナ１２ｂを同時に燃焼させた後（ステップ３０２）、所定時間ｔが経過すると（ステップ３０３）、すなわちバーナ燃焼の切り替え時間がくると、そのときの、第一バーナ１１ａに個別に接続されたガスバルブＧ１の開度と同じく第一バーナ１１ａに個別に接続されたエアーバルブＡ１の開度を読込みＲＡＭ５２に記憶し、第四バーナ１２ｂに個別に接続されたガスバルブＧ４の開度と同じく第四バーナ１２ｂに個別に接続されたエアーバルブＡ４の開度を読込みＲＡＭ５２に記憶するとともに、第二バーナ１１ｂに個別に接続された排ガスバルブＨ２の開度と、第三バーナ１２ａに個別に接続された排ガスバルブＨ３の開度を読込みＲＡＭ５２に記憶する（ステップ３０４）。
【００２５】
そして、ＣＰＵ５０は、燃焼中の第一バーナ１１ａと第四バーナ１２ｂを消火させる（ステップ３０５）とともに、これから燃焼させる第二バーナ１１ｂに個別に接続されたガスバルブＧ２の開度と同じく第二バーナ１１ｂに個別に接続されたエアーバルブＡ２の開度を、ＲＡＭ５２に記憶された第一バーナ１１ａに個別に接続されたガスバルブＧ１の開度と同じく第一バーナ１１ａに個別に接続されたエアーバルブＡ１の開度に設定し、第三バーナ１２ａに個別に接続されたガスバルブＧ３の開度と同じく第三バーナ１２ａに個別に接続されたエアーバルブＡ３の開度を、ＲＡＭ５２に記憶された第四バーナ１２ｂに個別に接続されたガスバルブＧ４の開度と同じく第四バーナ１２ｂに個別に接続されたエアーバルブＡ４の開度に設定し、同時に、第一バーナ１１ａに個別に接続された排ガスバルブＨ１の開度と、第四バーナ１２ｂに個別に接続された排ガスバルブＨ４の開度を、ＲＡＭ５２に記憶された第二バーナ１１ｂに個別に接続された排ガスバルブＨ２の開度と、第三バーナ１２ａに個別に接続された排ガスバルブＨ３の開度に設定し（ステップ３０６）、第二バーナ１１ｂと第三バーナ１２ａを同時に燃焼させる（ステップ３０７）。
【００２６】
次に、ＣＰＵ５０は、所定時間ｔが経過し（ステップ３０８）、バーナ燃焼の切り替え時間がくると、そのときの、第二バーナ１１ｂに個別に接続されたガスバルブＧ２の開度と同じく第二バーナ１１ｂに個別に接続されたエアーバルブＡ２の開度を読込みＲＡＭ５２に記憶し、第三バーナ１２ａに個別に接続されたガスバルブＧ３の開度と同じく第三バーナ１２ａに個別に接続されたエアーバルブＡ３の開度を読込みＲＡＭ５２に記憶するとともに、第一バーナ１１ａに個別に接続された排ガスバルブＨ１の開度と、第四バーナ１２ｂに個別に接続された排ガスバルブＨ４の開度を読込みＲＡＭ５２に記憶する（ステップ３０９）。
【００２７】
そして、ＣＰＵ５０は、燃焼中の第二バーナ１１ｂと第三バーナ１２ａを消火させる（ステップ３１０）とともに、これから燃焼させる第一バーナ１１ａに個別に接続されたガスバルブＧ１の開度と同じく第一バーナ１１ａに個別に接続されたエアーバルブＡ１の開度を、ＲＡＭ５２に記憶された第二バーナ１１ｂに個別に接続されたガスバルブＧ２の開度と同じく第二バーナ１１ｂに個別に接続されたエアーバルブＡ２の開度に設定し、第四バーナ１２ｂに個別に接続されたガスバルブＧ４の開度と同じく第四バーナ１２ｂに個別に接続されたエアーバルブＡ４の開度を、ＲＡＭ５２に記憶された第三バーナ１２ａに個別に接続されたガスバルブＧ３の開度と同じく第三バーナ１２ａに個別に接続されたエアーバルブＡ３の開度に設定し、同時に、第二バーナ１１ｂに個別に接続された排ガスバルブＨ２の開度と、第三バーナ１２ａに個別に接続された排ガスバルブＨ３の開度を、ＲＡＭ５２に記憶された第一バーナ１１ａに個別に接続された排ガスバルブＨ１の開度と、第四バーナ１２ｂに個別に接続された排ガスバルブＨ４の開度に設定し（ステップ３１１）、ステップ３０１に戻り、各バーナ１１ａ，１１ｂ，１２ａ，１２ｂに供給される燃焼用のガス及びエアーの流量を個別にきめ細かく制御するとともに、各バーナ１１ａ，１１ｂ，１２ａ，１２ｂから排気される排ガスの流量のついても個別にきめ細かく制御し、ステップ３０２で、第一バーナ１１ａと第四バーナ１２ｂを同時に燃焼させ、以下の処理を停止の指示があるまで繰り返して行う。
【００２８】
このように流量の個別制御は、ペアとなる一対のバーナ１１ａ，１１ｂ，１２ａ，１２ｂからなるリジェネバーナ１１，１２において、燃焼中の一方のバーナ１１ａ，１２ｂを消火した時の、その一方のバーナ１１ａ，１２ｂに設けられたガスバルブＧ１，Ｇ４の開度とエアーバルブＡ１，Ａ４の開度を記憶し、次に、他方のバーナ１１ｂ，１２ａを燃焼する時に、その他方のバーナ１１ｂ，１２ａに設けられたガスバルブＧ２，Ｇ３の開度とエアーバルブＡ２，Ａ３の開度を、記憶した一方のバーナ１１ａ，１２ｂに設けられたガスバルブＧ１，Ｇ４の開度とエアーバルブＡ１，Ａ４の開度に設定して、燃焼中の一方の（あるいは他方の）バーナを消火する時の、すなわちバーナの空燃比が最適バランスにあるといったような安定状態にあるガスバルブ及びエアーバルブの開度を、次に燃焼させる他方（あるいは一方の）バーナの着火時から他方（あるいは一方の）バーナ側のガスバルブ及びエアーバルブの開度とするので、バーナを２回目以降に再着火する場合の過渡期変動に対応し安定した燃焼結果が得られる。また、同様に燃焼中の一方のバーナ１１ａ，１２ｂを消火した時の、他方のバーナ１１ｂ，１２ａに設けられた排ガスバルブＨ２，Ｈ３の開度を記憶し、次に、他方のバーナ１１ｂ，１２ａを燃焼する時に、一方のバーナ１１ａ，１２ｂに設けられた排ガスバルブＨ１，Ｈ４の開度を、記憶した他方のバーナ１１ｂ，１２ａに設けられた排ガスバルブＨ２，Ｈ３の開度に設定するので安定した燃焼結果が得られる。
【００２９】
なお、本実施形態では、２本のバーナのうち燃焼中の一方のバーナを消火した時の、その一方のバーナに設けられたガスバルブの開度とエアーバルブの開度及び、非燃焼中の他方のバーナに設けられた排ガスバルブの開度を記憶し、他方のバーナを燃焼する時に、その他方のバーナに設けられたガスバルブの開度とエアーバルブの開度を、記憶した一方のバーナに設けられたガスバルブの開度とエアーバルブの開度に設定するとともに、一方のバーナに設けられた排ガスバルブの開度を、記憶した他方のバーナに設けられた排ガスバルブの開度に設定するようにし、各バルブの開度を、燃焼中の一方のバーナを消火した時を基準として記憶するようにしたが、これにかえて、２本のバーナのうち燃焼中の一方のバーナの空燃比が設定値になった時を基準として、その一方のバーナに設けられた前記ガスバルブの開度とエアーバルブの開度及び、非燃焼中の他方のバーナに設けられた前記排ガスバルブの開度を記憶し、他方のバーナを燃焼する時に、その他方のバーナに設けられたガスバルブの開度とエアーバルブの開度を、記憶した一方のバーナに設けられたガスバルブの開度とエアーバルブの開度に設定するとともに、一方のバーナに設けられた排ガスバルブの開度を、記憶した他方のバーナに設けられた排ガスバルブの開度に設定するようにしてもよい。
【００３０】
また、本実施例では、各バーナ毎に燃焼用のガスとエアーと、そして排気用のガスの３つの要素について個別制御するようにしたが、このうち、ガス系の燃焼用のガスと排気用のガスの２つの要素についてだけ、あるいはエアー系の燃焼用のエアーの１つの要素についてだけ個別に制御するようにしてもよい。
【図面の簡単な説明】
【００３１】
【図１】本発明の実施形態に係るリジェネバーナ制御方法を実施するリジェネバーナ制御システムを示す概略構成図である。
【図２】本発明の実施形態に係るリジェネバーナ制御方法による処理内容を示すフローチャートである。
【図３】従来例に係るリジェネバーナ制御方法を実施するリジェネバーナ制御システムを示す概略構成図である。
【符号の説明】
【００３２】
１０        炉体
１１，１２      リジェネバーナ
１１ａ      第一バーナ
１１ｂ      第二バーナ
１２ａ      第三バーナ
１２ｂ      第四バーナ
１３        ガスバルブ
１４        エアーバルブ
１５        排ガスバルブ
２１        ガス管
２２        エアー管
２３        排ガス管
５０        ＣＰＵ
５１        ＲＯＭ
５２        ＲＡＭ
５３        操作表示部
１００        制御ユニット
Ａ１，Ａ２，Ａ３，Ａ４      エアーバルブ
Ｆ        炎
Ｇ１，Ｇ２，Ｇ３，Ｇ４      ガスバルブ
Ｈ１，Ｈ２，Ｈ３，Ｈ４      排ガスバルブ
【図１】
2009276026.tif 000003
【図２】
2009276026.tif 000004
【図３】
2009276026.tif 000005